(57)【要約】【課題】患者を寝たままの状態でベッド本体ごと起立させ、介護者等他人の力を借りて、または患者自身が手足を動かしたりして、その機能の回復を図る。【解決手段】患者Ｐが仰臥しているベッド本体１を起立保持固定手段４６により傾斜または直立して起立固定して、患者Ｐを起立させると共に、直立した患者Ｐの起立状態を維持する転倒防止手段２を、前記ベッド本体１の前方に取外し自在になるようにして連結固定し、且つ前記ベッド本体１は、頭部保持部３と、背面部保持部４と、脚部保持部５と、該脚部保持部５の後端縁部に直角に固定された足載置部６とをそれぞれ連設して形成され、前記ベッド本体１は、Ｖ字状支脚お７よび起立固定用支脚８とにより支持されて床面９上に設置されて形成される。【選択図】図１３
2015107283.tif 000002
【特許請求の範囲】
【請求項１】
患者が仰臥できるベッド本体と、該患者がベッド本体上に仰臥したまま、該ベッド本体を起立保持固定手段により傾斜または直立して起立固定することにより、患者を起立させると共に、直立した患者の起立状態を維持する転倒防止手段が、前記ベッド本体の前方に取外し自在になるようにして連結固定して形成されたリハビリ用ベッド装置であって、
前記ベッド本体は、患者の後頭部を保持する頭部保持部と、患者の後背部から臀部にかけての背面部を保持する背面部保持部と、脚部を保持する脚部保持部と、該脚部保持部の後端縁部に直角に固定された足載置部とをそれぞれ連設して形成されると共に、前記ベッド本体は、前記背面部保持部の下面両側にそれぞれ固定された２本のＶ字状支脚と、前記脚部保持部の下面両側にそれぞれ回動自在に軸支された２本の三角状の起立固定用支脚とにより支持されて床面上に設置されて形成され、
前記頭部保持部は、下面方向へ折曲して、該頭部保持部の底面が前記２本のＶ字状支脚の各前方側支脚片に当接して、その位置で停止できるように形成され、
更に、前記脚部保持部の両側に回転自在に軸支された前記起立固定用支脚の軸支部を介して、前記ベッド本体を回動させて、該ベッド本体を床面上に傾斜または直立して起立させた状態に保持する起立保持固定手段が、前記脚部保持部と起立固定用支脚間に設置され、
前記背面部保持部の背面マット上には、患者を保持固定する上半身固定手段が設置されると共に、脚部保持部には、患者のそれぞれの脚部を保持固定する２個の脚部固定手段が設置され、
前記転倒防止手段は、凹状の支柱部の両側支柱の上端開口より高さ調整用支柱をそれぞれ挿入すると共に、該各調整用支柱の上端に保持板を水平に架け渡して固定し、更に、前記保持板上に患者の腕部を載置する腕マットを載置固定すると共に、前記保持板の先端部両側に手で握って体を支える握持棒をそれぞれ立設固定する一方、前記両側支柱と前記背面部保持部の各鉄パイプとを連結棒を介して取外し自在に連結固定して形成したことを特徴とするリハビリ用ベッド装置。
【発明の詳細な説明】
【技術分野】
【０００１】
本発明は、脳出血や脳梗塞などの様々な疾病により、寝たきりとなったり、身体障害となった患者を寝たままの状態でベッドごと起立させ家族、介護者等他人の力を借りて、または患者自身が手足を動かしたりして、その機能の回復を図ることを目的とするリハビリ用ベッド装置に関するものである。
【背景技術】
【０００２】
従来、様々な疾病により、寝たきりとなったり、身体障害となった患者の機能の回復を図る手段として、病院等において、理学療法士による施術が広く実施されている。そして、前記機能の回復を目的とする先行特許文献を遡及検索したところ、下記特許文献に記載された機器が開示されている。
【先行技術文献】
【特許文献】
【０００３】
【特許文献１】特開平１０−１５１１５９号公報
【特許文献２】特開２０００−３２５４１３号公報
【発明の概要】
【発明が解決しようとする課題】
【０００４】
前記従来広く実施されている理学療法士による施術は、理学療法士が付添って、適宜のリハビリ器具を用いて施術するため、患者が病院に赴く必要があり、患者および家族等の介助者の負担が極めて大きいという課題があった。また特に、脳出血や脳梗塞の患者の場合、理学療法士や家族等の介助者が、患者をリハビリのため起立させると、患者は断崖の上に立ったような恐怖感を覚え、そのため、リハビリに集中できず充分なリハビリ効果を得ることができないという課題があった。
【０００５】
また、前記特許文献１記載の「介護・自立訓練用ベッド補助具」は、所要長のパイプをベッドに取付けて、介護者の介護を補助すると共に、寝たきり状態からの脱出、起立訓練、更には排泄の自立訓練など多機能を有する補助具である。しかしながら、前記特許文献１記載の補助具では、介護者を起立させることができず、従って起立させることによって訓練される筋力の回復ができないので、充分な機能回復を図ることができないという課題があった。
【０００６】
更に、前記特許文献２記載の「下肢リハビリ装置」は、駆動装置を下肢リハビリ装置の幅方向に位置変更自在に取り付け、あるいはベッドを下肢リハビリ装置の幅方向に位置変更自在に取り付けることにより、患者をベッドに載せたまま、訓練対象の脚を自由に変更できる機構、およびベッドに前記患者の上半身を自在に起倒できるリクライニング機構を設けて形成されている。しかしながら、前記特許文献２記載の装置では、患者を起立させることができないので、起立させることによって訓練される筋力の回復ができず、またリクライニング機構は電動で作動するため、機器が大がかりとなり、高価となるという課題があった。
【０００７】
本発明は前記課題を解決すべくなされたものであって、寝たきりとなったり、身体障害となった患者はほとんどの場合、ベッド上に寝かしたままリハビリを行っているのが現状で、この状態では筋力が減退すると共に、平衡感覚が欠除し、患者の機能回復は非常に困難であると考え、患者を固定帯片を用いてリハビリ用ベッドに固定し、リハビリ用ベッドごと起立させて、家族、介護者等他人の力を借りて、または患者本人が自分自身のみで起立した状態で手足を動かしたり、あるいは首を動かしたりすることにより、血行促進を図ると共に、起立した状態を維持することにより、寝たままでは使わなかった筋肉の強化を図り、更に、寝たままの患者を起立させることにより、固定帯片によりリハビリ用ベッドに固定したままであるので、患者に不安感を与えることなく、寝たままのときにはなかった明るい希望を与え、リハビリに集中できるようにすることができるリハビリ用ベッド装置を提供しようとするものである。
【課題を解決するための手段】
【０００８】
本発明は、患者が仰臥できるベッド本体と、該患者がベッド本体上に仰臥したまま、該ベッド本体を起立保持固定手段により傾斜または直立して起立固定することにより、患者を起立させると共に、直立した患者の起立状態を維持する転倒防止手段が、前記ベッド本体の前方に取外し自在になるようにして連結固定して形成されたリハビリ用ベッド装置であって、
前記ベッド本体は、患者の後頭部を保持する頭部保持部と、患者の後背部から臀部にかけての背面部を保持する背面部保持部と、脚部を保持する脚部保持部と、該脚部保持部の後端縁部に直角に固定された足載置部とをそれぞれ連設して形成されると共に、前記ベッド本体は、前記背面部保持部の下面両側にそれぞれ固定された２本のＶ字状支脚と、前記脚部保持部の下面両側にそれぞれ回動自在に軸支された２本の三角状の起立固定用支脚とにより支持されて床面上に設置されて形成され、
前記頭部保持部は、下面方向へ折曲して、該頭部保持部の底面が前記２本のＶ字状支脚の各前方側支脚片に当接して、その位置で停止できるように形成され、
更に、前記脚部保持部の両側に回転自在に軸支された前記起立固定用支脚の軸支部を介して、前記ベッド本体を回動させて、該ベッド本体を床面上に傾斜または直立して起立させた状態に保持する起立保持固定手段が、前記脚部保持部と起立固定用支脚間に設置され、
前記背面部保持部の背面マット上には、患者を保持固定する上半身固定手段が設置されると共に、脚部保持部には、患者のそれぞれの脚部を保持固定する２個の脚部固定手段が設置され、
前記転倒防止手段は、凹状の支柱部の両側支柱の上端開口より高さ調整用支柱をそれぞれ挿入すると共に、該各調整用支柱の上端に保持板を水平に架け渡して固定し、更に、前記保持板上に患者の腕部を載置する腕マットを載置固定すると共に、前記保持板の先端部両側に手で握って体を支える握持棒をそれぞれ立設固定する一方、前記両側支柱と前記背面部保持部の各鉄パイプとを連結棒を介して取外し自在に連結固定して形成するという手段を採用することにより、上記課題を解決した。
【発明の効果】
【０００９】
前記構成より成る本発明によれば、患者を固定帯片を用いてリハビリ用ベッド本体に固定し、リハビリ用ベッド本体ごと起立させて、家族、介護者等他人の力を借りて、または患者本人が自分自身のみで起立した状態で手足を動かしたり、あるいは首を動かしたりすることにより、血行促進を図ると共に、起立した状態を維持することにより、寝たままでは使わなかった筋肉の強化を図り、更に、寝たままの患者を起立させることにより、固定帯片によりリハビリ用ベッド本体に固定したままではあるが、患者に寝たままのときにはなかった明るい希望を与え、リハビリに集中できるという優れた効果を奏することができる。
そして、特に、脳出血や脳梗塞の患者の場合、理学療法士や家族等の介助者が、患者をリハビリのため起立させると、患者は断崖の上に立ったような恐怖感を覚え、そのため、リハビリに集中できず充分なリハビリ効果を得ることができなかったのが、患者を固定帯片を用いてリハビリ用ベッド本体に固定することにより、前記患者の恐怖心がなくなり、安心してリハビリに専念することができるので、リハビリ効果の向上に寄与することができる。
【図面の簡単な説明】
【００１０】
【図１】本発明リハビリ用ベッド装置を水平に設置した状態を示す側面図である。
【図２】本発明リハビリ用ベッド装置の骨組みを示す側面図である。
【図３】本発明リハビリ用ベッド装置の骨組みを示す背面図である。
【図４】図１のＡ−Ａ線の分解断面図である。
【図５】本発明リハビリ用ベッド装置における背面部保持部と脚部保持部との連結部分の拡大断面図である。
【図６】本発明リハビリ用ベッド装置における頭部保持部と背面部保持部との連結部分の拡大断面図である。
【図７】本発明リハビリ用ベッド装置における起立固定手段部の要部の斜視図である。
【図８】本発明リハビリ用ベッド装置において、ベッド本体を傾斜して起立した状態を示す側面図である。
【図９】本発明リハビリ用ベッド装置において、ベッド本体を直立して起立した状態を示す側面図である。
【図１０】本発明リハビリ用ベッド装置において、ベッド本体を直立して起立したとき、足先載置部の方から見た要部の正面図である。
【図１１】本発明リハビリ用ベッド装置において、ベッド本体を直立して起立し、更に転倒防止手段を設置した状態を示す側面図である。
【図１２】本発明リハビリ用ベッド装置において、ベッド本体を直立して起立し、更に転倒防止手段を設置した状態を示す斜視図である。
【図１３】本発明リハビリ用ベッド装置の使用状態を示す斜視図である。
【実施例】
【００１１】
本発明リハビリ用ベッド装置は、脳出血や脳梗塞等の様々な疾病により、寝たきり状態となったり、身体障害となった患者Ｐが仰臥できるベッド本体１と、該患者Ｐがベッド本体１上に仰臥したまま、該ベッド本体１を起立させることにより、患者Ｐを起立させると共に、前記起立した患者Ｐが前方へ倒れることなく、起立状態を維持する転倒防止手段２が、前記ベッド本体１の前方に、取外し自在になるようにして連結固定して形成されている。なお、前記転倒防止手段２は、患者Ｐの症状が軽い場合、または機能がある程度回復した場合は使用しなくてもよい場合もある。
【００１２】
前記ベッド本体１は、患者Ｐの後頭部を保持する頭部保持部３と、患者の後背部から臀部にかけての背面部を保持する背面部保持部４と、脚部を保持する脚部保持部５と、該脚部保持部５の後端縁部に直角に固定された足載置部６とをそれぞれ連設して形成されている。そして、前記ベッド本体１は、前記背面部保持部４の下面両側にそれぞれ固定されたＶ字状支脚７と、前記脚部保持部５の下面両側にそれぞれ回動自在に軸支された三角状の起立固定用支脚８とにより支持されて床面９上に設置される。
【００１３】
前記頭部保持部３は、逆Ｕ字状に折曲した鉄パイプ１０の下面に、複数枚の補強鉄板１１を溶接等により連結固定して頭部保持台枠１２が形成され、且つ該頭部保持台枠１２の鉄パイプ１０と補強鉄板１１とで形成された凹部１３内に、すのこ状の敷き板１４を配設して、該敷き板１４上に頭部マット１５を載置し、フック等、適宜の固定手段により該頭部マット１５を前記敷き板１４上に固定して形成されている。
【００１４】
前記背面部保持部４は、間隔を有して配置した２本の鉄パイプ１６の下面に、複数枚の連結鉄板１７を溶接等により連結固定して背面部保持台枠１８が形成され、且つ該背面部保持台枠１８の鉄パイプ１６と連結鉄板１７とで形成された凹部１９内にすのこ状の敷き板２０を配設して、該敷き板２０上に背部マット２１を載置し、フック等、適宜の固定手段により、該背部マット２１を前記敷き板２０上に固定して形成されている。
【００１５】
また、前記脚部保持部５は、２本の鉄パイプ２２の下面に複数枚の連結鉄板２３を溶接等により連結固定して脚部保持台枠２４が形成され、且つ該脚部保持台枠２４の鉄パイプ２２と連結鉄板２３とで形成された凹部２５内にすのこ状の敷き板２６を配設して、該敷き板２６上に脚部マット２７を載置し、フック等、適宜の固定手段により、該脚部マット２７を前記敷き板２６上に固定して形成されている。
【００１６】
前記構成より成る脚部保持部５を構成する２本の鉄パイプ２２の各前方部側開口２２ａより、長さ調節用の丸鋼棒２８の後方部側をそれぞれ挿入して前記各鉄パイプ２２に、ボルト等、適宜の固定手段２９により固定すると共に、前記長さ調節用の丸鋼棒２８の前方部側を露出して、該露出した前方部側を前記背面部保持部４を構成する２本の鉄パイプ１６の後方部側端部開口１６ｂより挿入して、前記各長さ調節用の丸鋼棒２８の前方部側をガイドとして、前記背面部保持部４を前方または後方へ移動させて背面部保持部４と脚部保持部５間の間隔を調整し、前記各長さ調節用の丸鋼棒２８を背面部保持部４の各鉄パイプ１６にストッパー手段３０で固定することにより、背面部保持部４と脚部保持部５間の間隔を患者Ｐの身長に合わせた長さに調整することができる。
【００１７】
なお、前記背面部保持部４と脚部保持部５間の間隔を患者Ｐの身長に合わせた長さに調整することに応じて、前記背部マット２１を図１に示すように、予め長めに形成することにより、長さの調整によって生ずる隙間を遮蔽し、見苦しさを防止することができる。
【００１８】
前記２本の長さ調節用の丸鋼棒２８の前方部側を背面部保持部４の２本の鉄パイプ１６に固定するストッパー手段３０は、特に限定する必要はないが、好ましくは、図５に示すような構成とすることが推奨される。すなわち、図５に示すように、ストッパー手段３０は、摘子３１を備えたボルト３２を前記各鉄パイプ１６の外方向から螺挿して、該ボルト３２の先端を長さ調節用の丸鋼棒２８に圧着することにより、前記各長さ調節用の丸鋼棒２８は前記背面部保持部４と脚部保持部５間の間隔を調整した位置において、該背面部保持部４の各鉄パイプ１６に固定できるようにして形成されている。
【００１９】
また、前記足載置部６は、起立した患者の足を載置するため、前記脚部保持部５の後端縁部に直角に突設して連結固定されている。前記足載置部６は、両足先を載置できる巾および長さの載置板３３の上面に、多少厚め目の布片３４を固定して形成されている。そして、前記足載置部６を脚部保持部５の後端縁部に連結固定する場合、特に限定する必要はないが、好ましくは図１などに示すようにして固定することが推奨される。
【００２０】
すなわち、図１などに示すように、前記足載置部６を脚部保持部５の後端縁部に連結固定する場合、該足載置部６を構成する載置板３３を鉄板により形成し、その基部側両側端縁に、前記脚部保持部５の鉄パイプ２２に一体に固定するための固定板３５をそれぞれ立設固定し、該各固定板３５の内側面と前記各鉄パイプ２２の外側面とを溶接固定３５ａして、前記足載置部６を脚部保持部５の後端縁部に直角に突設して連結固定されている。
【００２１】
なお、図中３６は、床面９上にベッド本体１を起立したとき、前記足載置部６と床面９との間に隙間３７ができて、該足載置部６が不安定となるのを防止する安定維持具である。前記安定維持具３６は、特に限定する必要はないが、好ましくは、図９・図１１に示すような構成とすることが推奨される。すなわち、図９・図１１に示すように、前記足載置部６の載置板３３の両側部に、前記床面９に接地する接地用円盤状突部３８を備えたボルト３９を螺挿して、適宜前記隙間３７に合わせて該ボルト３９を回転させて、該接地用円盤状突部３８を上・下動させて、前記接地用円盤状突部３８を床面９に接地させることにより、載置板３３の安定性を維持する。
【００２２】
更に、前記頭部保持部３は、下面方向へ折曲して、該頭部保持部３の底面が前記２本のＶ字状支脚７の各前方側支脚片７ａに当接して、その位置で停止できるように形成されている。前記頭部保持部３を折曲してＶ字状支脚７の各前方側支脚片７ａに当接して停止させる場合、特に限定する必要はないが、好ましくは、図６・図９・図１１に示すような構成を採用することが推奨される。
【００２３】
すなわち、図６・図９・図１１に示すように、前記頭部保持部３の後方側の補強鉄板１１ａと、背面部保持部４を構成する背面部保持台枠１８の前方側の連結鉄板１７ａとを、複数個の蝶番４０で連結固定して、前記頭部保持部３が前記蝶番４０を介して折曲できるように形成する一方、前記頭部保持部３を構成する逆Ｕ字状の鉄パイプ１０の両端開口１０ａより、２本の連結用の丸鋼棒４１の前方側を嵌挿すると共に、該各連結用の丸鋼棒４１の後方側を前記背面部保持台枠１８を構成する２本の鉄パイプ１６の前方側端部開口１６ａより嵌挿して、前記頭部保持部３と背面部保持部４とを直線状に連結し、更に、前記頭部保持部３の両側の各鉄パイプ１０の外側面に長スリット４２をそれぞれ開口し、且つ前記各連結用の丸鋼棒４１の前方側端部近くに該連結用の丸鋼棒４１を前・後に移動させる際の摘子４３を先端に突設した移動操作用突起４４を前記長スリット４２を貫通して突設する。
【００２４】
そして、前記頭部保持部３を背面部保持部４に直線状に連結固定するには、前記頭部保持部３の逆Ｕ字状の鉄パイプ１０の各後方側開口１０ａより挿入された２本の連結用の丸鋼棒４１を、各移動操作用突起４４の摘子４３を介して後方側へ移動させて、前記各連結用の丸鋼棒４１の後方端側を背面部保持台板１８を構成する各鉄パイプ１６の前方側開口１６ａより挿入し、前記各移動操作用突起４４が前記各長スリット４２の後方側端部４２ｂに当接して、前記各連結用の丸鋼棒４１のそれ以上の後方側への移動を阻止して、前記頭部保持部３が背面部保持部４に直線状に連結固定される。
【００２５】
そして逆に、前記背面部保持部４に直線状に連結固定されている頭部保持部３を、前記各両側に位置するＶ字状の支脚７の各前方側支脚片７ａに当接させる場合は、後述するベッド本体１を直立、または傾斜させて起立した後、図９・図１１に示すように、前記各移動操作用突起４４の各摘子４３を介して、各連結パイプ４１を各長スリット４２に沿って前方側へ移動させて、前記各移動操作用突起４４を各長スリット４２の前方側端縁部４２ａに当接して、該各連結パイプ４１の後方側端部を背面部保持台枠１８の各鉄パイプ１６の前方側端部開口１６ａより引き上げて、前記背面部保持部４との連結状態を解除し、前記各蝶番４０を介して頭部保持部３を傾動させて、前記各Ｖ字状支脚７の各前方側支脚片７ａに当接させて、その位置で頭部保持部３を傾動を停止して固定できるよう形成されている。前記各Ｖ字状支脚７の各前方側支脚片７ａに頭部保持部３が当接して傾めに固定されることにより、患者Ｐの頭部および肩部の背面側が完全に露出するのでその部位へのリハビリ施術が可能となる。
【００２６】
前記背面部保持部４に固定された各Ｖ字状支脚７は、そのＶ字状に上方部を拡開した前・後方側支脚片７ａ・７ｂの上端部が前記各鉄パイプ１６に固定されると共に、該前・後方側支脚片７ａ・７ｂの中央部下方は連結鉄板４５で連結され、且つその下端部７ｃが床面９への接地面となる。
【００２７】
また、脚部保持部５の両側に回動自在に軸支された各三角状の起立固定用支脚８は、その頂部８ａを、該脚部保持部５を構成する２本の鉄パイプ２２の軸支部４６に回動自在に軸支すると共に、前記各起立固定用支脚８の底片８ｂは床面９への接地面となり、更に前記各起立固定用支脚８の前方側片８ｃは、複数枚の連結鉄板４７で互いに連結固定され、且つ前記各底片８ｂの後端面部には、ベッド本体１を起立させたとき、その移動が容易になるよう、ローラー４８がそれぞれ回転自在に設置されている。なお、前記各起立固定用支脚８の後方側片８ｄには連結鉄板は連結固定されていない。それは、連結鉄板で連結されていると、ベッド本体１が直立して起立したとき邪魔となるからである。
【００２８】
一方、前記構成より成るベッド本体１を床面９上に、直立または傾斜して起立させた状態に保持する起立保持固定手段４９が、前記脚部保持部５と起立固定用支脚８間に設置されている。前記起立保持固定手段４９は、特に限定する必要はないが、好ましくは、図７〜図９に示す構成とすることが推奨される。すなわち、図７〜図９に示すように、前記背面部保持部４の中央近くに設置された連結鉄板２３ａの中央部に、複数個の係止用凹部５０を凹設した長方形状ストッパー基板５１の基端部を軸支する軸支部５２を設置すると共に、前記ストッパー基板５１の所定の係止用凹部５０に挿入して係止する係止用突起５３ａ・５３ｂが前記起立固定用支脚８の前方側片８ｃの上・下方側の連結鉄板４７ａ・４７ｂにそれぞれ突設して形成されている。
【００２９】
なお、図１に示すように、ベッド本体１が床面に平行に設置されているときは、前記係止用凹部５０は、下方側の連結鉄板４７ｂに設置された下方側の係止用突起５３ｂに係止されているが、前記係止用凹部５０が、下方側の連結鉄板４７ｂに設置された下方側の係止用突起５３ｂに係止されることなく、垂れ下がった状態でも、ベッド本体１の自重により平行に設置される。
【００３０】
前記構成より成るベッド本体１を直立または傾斜して固定する起立保持固定手段４９は、ベッド本体１を傾斜して起立させる場合は、図８に示すように、前記起立固定用支脚８の軸支部４６を支点として前記ベッド本体１の頭部保持部３が上方に位置するようにして回動して、係止用凹部５０のうち、下方側に位置する係止用凹部５０、図８においては５０ｃに前記上方側の係止用突起５３ａを挿入係止することにより、ベッド本体１は床面９上に傾斜して起立する。なお、係止用凹部５０のうち、前記係止用凹部５０ｃより上方の係止用凹部５０ａまたは５０ｂに前記係止用突起５３を挿入係止すると、傾斜角度を前記の場合より緩やかにすることができる。
【００３１】
また、ベッド本体１を床面９上に直立して起立させる場合、図９に示すように、前記起立固定用支脚８の軸支部４６を支点として前記ベッド本体１の頭部保持部３が上方に位置するようにして回動して、係止用凹部５０のうち、最下段に位置する係止用凹部５０ｄに前記上方側の係止用突起５３ａを挿入係止することにより、図９に示すようにベッド本体１は床面９上に直立して起立する。なお、図７においては、係止用凹部５０は４個設けられているが、これに限定されるものではない。
【００３２】
一方、前記起立したベッド本体1上に仰臥した患者Ｐの安全を確保するため、背面部保持部４の背面マット２１には、患者Ｐを保持固定する患者の上半身固定手段５４・５５が設置されている。前記上半身固定手段５４・５５は、特に限定する必要はないが、好ましくは、図１２に示すような構成とすることが推奨される。すなわち、図１２に示すように、上半身固定手段５４・５５は、患者Ｐの胸部および腰部をそれぞれ上方より押さえて、接合固定するための固定帯片５６・５７の基部がそれぞれ対になるようにして、前記背面部保持部４の背面マット２１上に固着されると共に、該各固定帯片５６・５７の各先端部には、患者Ｐを上方より押さえて、接合固定するための面ファスナー雄片（図示省略）と面ファスナー雌片（図示省略）をそれぞれ備えて形成されている。
【００３３】
また、脚部保持部５には、患者Ｐの脚部を保持固定する脚部固定手段５８が設置されている。前記脚部固定手段５８は、特に限定する必要はないが、好ましくは、図１２に示すような構成とすることが推奨される。すなわち、図１２に示すように、脚部固定手段５８は、患者Ｐの左右の脚部を別々に上方より押さえて、接合固定するための固定帯片５９・６０の基部がそれぞれ対になるようにして、前記背面部保持部４上に固着されると共に、該各固定帯片５９・６０の各先端部には、患者Ｐの脚部を上方より押さえて、接合固定するための面ファスナー雄片（図示省略）と面ファスナー雌片（図示省略）をそれぞれ備えて形成されている。なお、前記脚部固定手段５８が患者Ｐの左右の脚部ごとに別々に形成されているのは、左右の脚部がそれぞれ別々に機能回復の運動ができるようにするためである。
【００３４】
更に、ベッド本体１に仰臥した患者Ｐは、該ベッド本体１が直立して起立した場合、前記上半身固定手段５４・５５および脚部固定手段５８のみでは不安を感じるので、その不安を解消するため、前記直立して起立したベッド本体１の前面に起立状態を維持する転倒防止手段２が取り外し自在に設置されている。前記転倒防止手段２は、特に限定する必要はないが、好ましくは、図１１〜図１３に示すような構成とすることが推奨される。すなわち、図１１〜図１３に示すように、転倒防止手段２は鉄パイプにより、両側支柱６１の下方に補強パイプ６２を接合固定して凹状の支柱部６３を設け、且つ該支柱部６３の両側支柱６１の上端開口６４より全体の高さを調整する調整用支柱６５をそれぞれ挿入すると共に、該各調整用支柱６５の上端に保持板６６を水平に架け渡して固定し、更に、前記保持板６６上に患者Ｐの腕部を載置する腕マット６７を載置固定すると共に、前記保持板６６の先端部両側に手で握って体を支える握持棒６８をそれぞれ立設固定する一方、前記支柱部６３の両側支柱６１の上端開口６４より挿入して全体の高さを調整した調整用支柱６５を固定するストッパー６９を設け、且つ前記支柱部６３の両側支柱６１と前記背面部保持部４の各鉄パイプ１６とを連結棒７０を介して取外し自在に連結固定して、転倒防止手段２の離脱を阻止するよう形成されている。
【００３５】
前記ストッパー６９、特に限定する必要はないが、好ましくは、図１３に示すような構成とすることが好ましい。すなわち、図１３に示すように、ストッパー６９は、固定ボルト７１を両側支柱６１の外側より螺挿して、その先端を調整用支柱６５の外周面に圧着して固定できるよう形成されている。
【００３６】
更に、前記直立して起立したベッド本体１の前面に、前記転倒防止手段２を連結固定する連結棒７０は、特に限定する必要はないが、好ましくは図１３に示すような構成とすることが推奨される。すなわち、図１３に示すように、連結棒７０は金属棒により先端を折曲して鉤部７２を設けて形成され、且つ該連結棒７０の基端部を前記両側支柱６１に回動自在に軸支７３すると共に、前記鉤部７２を脚部保持部５を構成する２本の鉄パイプ２２に突設された各掛止部７４に掛止して、前記転倒防止手段２がベッド本体１に連結固定される。
【００３７】
前記のように構成された本発明リハビリ用ベッド装置の作用について説明する。先ず、頭部保持部３、背面部保持部４および脚部保持部５を直線上に連結固定してＶ字状支脚７と起立固定用支脚８を介して床面９上に設置されたベッド本体１上に患者Ｐを仰臥させ、その後患者Ｐの胸部および腰部を上半身固定手段５４・５５により固定すると共に、患者Ｐの両脚部または一方の脚部を脚部固定手段５８により固定し、患者Ｐをベッド本体１上に固定する。
【００３８】
前記ベッド本体１上に患者Ｐを固定した後、前記床面９上にＶ字状支脚７と起立固定用支脚８を介して設置されたベッド本体１を、頭部保持部３が上方に位置するように、前記起立固定用支脚８の軸支部４８を支点として回動させた後、停止用凹部５０のうち、最下段に位置する係止用凹部５０ｄに係止用突起５３を挿入係止することにより、ベッド本体１は床面９上に直立して起立する。
【００３９】
そして、前記患者Ｐをベッド本体１上に固定して、足載置部６に足を載置すると共に、直立して起立させた後、該ベッド本体１の前面に転倒防止手段２を連結棒７０でベッド本体１と一体に連結固定して、患者Ｐが腕マット６７を腕で抱き込むことができるようにして、上下半身部の移動を阻止して、患者Ｐのリハビリの準備を完了する。
【００４０】
患者Ｐのリハビリはその症状に応じて適宜の方法を用いることができる。例えば、脚部の筋力の回復を目的とする場合、前記一方の脚部固定手段５８を解除して、一方の脚部の上下運動を繰返し、所定の運動量が終了すると、前記一方の脚部固定手段５８により一方の脚部を固定した後、他方の脚部固定手段５８を解除して、他方の脚部の上下運動を繰返して脚部の筋力を回復することができると共に、握持棒６８を握ったり、離したりすることにより、握力の増強を図ることができる。
【００４１】
また、患者Ｐが両腕を回動させたり、あるいは上下に振ったりすることもできるし、また頭部保持部３を後方側へ折曲してＶ字状支脚７の前方側支脚片７ａの上に当接して固定することにより、患者Ｐの頭部、首部および肩部が露出するため、家族や介護者により前記部位のマッサージやリハビリが可能となる。
【００４２】
前記構成より成る本発明リハビリ用ベッド装置の最大の特徴は、今迄にベッド上に寝たままの状態の患者を直立して起立させることにより、寝たままの状態では全く使用されなかった筋肉が使用されるので、これらの筋力の回復を図ることができると共に、寝たきりの患者を起立させることにより、患者に今迄と違った印象を与え、機能回復への希望を与えることができる。
【００４３】
なお、前記は患者Ｐをベッド本体１上に直立して起立した場合についての説明であるが、図８に示すように、起立保持固定手段４９の係止用凹部５０の上方部に係止用突起５３を挿入係止することにより、ベッド本体１を傾斜して起立させることができる。前記ベッド本体１を直立して起立させるか、あるいは傾斜して起立させるかは、患者Ｐの希望やリハビリの方法等により、適宜採用することができる。
【符号の説明】
【００４４】
Ｐ  患者、  １  ベッド本体、  ２  転倒防止手段、  ３  頭部保持部３、  ４  背面部保持部、  ５  脚部保持部、  ６  足載置部、  ７  Ｖ字状支脚、  ７ａ  Ｖ字状支脚の前方側支脚片、  ７ｂ  Ｖ字状支脚の後方側支脚片、  ７ｃ  Ｖ字状支脚の下端部、  ８  起立固定用支脚、  ８ａ  起立固定用支脚の頂部、  ８ｂ  起立固定用支脚の底片、  ８ｃ  起立固定用支脚の前方側片、  ８ｄ  起立固定用支脚の後方側片、  ９  床面、  １０  鉄パイプ、  １０ａ  鉄パイプの後方側開口、  １１  補強鉄板、  １１ａ  補強鉄板、  １２  頭部保持台枠、  １３  凹部、  １４  敷き板、  １５  頭部マット、  １６  鉄パイプ、  １６ａ  鉄パイプの前方側端部開口，  １６ｂ  鉄パイプの後方部側端部開口、  １７  連結鉄板、  １７ａ  前方側の連結鉄板、  １８  背面部保持台枠、  １９  凹部、  ２０  敷き板、  ２１  背部マット、  ２２  鉄パイプ、  ２２ａ  鉄パイプの前方部側開口、  ２３  連結鉄板、  ２３ａ  連結鉄板、２４  脚部保持台枠、  ２５  凹部、  ２６  敷き板、  ２７  脚部マット、  ２８  長さ調節用の丸鋼棒、  ２９  固定手段、  ３０  ストッパー手段、  ３１  摘子、  ３２  ボルト、  ３３  載置板、  ３４  布片、  ３５  固定板、  ３５ａ  溶接固定、  ３６  安定維持具、  ３７  隙間、  ３８  接地用円盤状突部、  ３９  ボルト、  ４０  蝶番、  ４１  連結用の丸鋼棒、  ４２  長スリット、  ４２ａ  長スリットの前方側端縁部、  ４２ｂ  長スリットの後方側端縁部、  ４３  摘子、  ４４  移動操作用突起、  ４５  連結鉄板、  ４６  軸支部、  ４７  連結鉄板、  ４７ａ  上方側の連結鉄板、
４７ｂ  下方側の連結鉄板、  ４８  ローラー、  ４９  起立保持固定手段、  ５０  係止用凹部、  ５０ａ・５０ｂ・５０ｃ・５０ｄ  係止用凹部、    ５１  ストッパー基板、  ５２  軸支部、  ５３  係止用突起、  ５３ａ  上方側の係止用突起、  ５３ｂ  下方側の係止用突起、  ５４・５５  上半身固定手段、  ５６・５７  固定帯片、  ５８  脚部固定手段、  ５９・６０  固定帯片、  ６１  両側支柱、  ６２  補強パイプ、  ６３  支柱部、  ６４  上端開口、  ６５  調整用支柱、  ６６  保持板、  ６７  腕マット、  ６８  握持棒、  ６９  ストッパー、  ７０  連結棒、  ７１  固定ボルト、７２  鉤部、  ７３  軸支、  ７４  掛止部。
【図１】
2015107283.tif 000003
【図２】
2015107283.tif 000004
【図３】
2015107283.tif 000005
【図４】
2015107283.tif 000006
【図５】
2015107283.tif 000007
【図６】
2015107283.tif 000008
【図７】
2015107283.tif 000009
【図８】
2015107283.tif 000010
【図９】
2015107283.tif 000011
【図１０】
2015107283.tif 000012
【図１１】
2015107283.tif 000013
【図１２】
2015107283.tif 000014
【図１３】
2015107283.tif 000015